(57)【要約】【課題】従来はDrift ＲＮＣにおける、Serving ＲＮＣに通知するための隣接セルの情報を検索し設定する処理負荷が発生する。また、コアネットワーク内を流れるＲＮＳＡＰ（Radio Network Subsystem Application Part）プロトコルの信号が増加する。【解決手段】移動体通信システムにおいて、データベース６はコアネットワークに接続された全てのＲＮＣ２ａ、２ｂからアクセス可能であり、ＲＮＣ２ａ，２ｂの識別情報ＲＮＣ−ＩＤと各無線ネットワーク制御装置が収容する基地局のセルの識別情報ＣーＩＤとを対応付けて記憶している。ＲＮＣ２ａ、２ｂは隣接セル情報取得機能部８ａ、８ｂを使用することでServing ＲＮＣがユーザ端末のハンドオーバー制御に必要な隣接セルの固有情報を取得することができるため、Drift ＲＮＣでの隣接セル情報の検索やＲＮＳＡＰプロトコルの信号に設定する処理を削減することができ、ＲＮＣの処理性能を向上できる。【選択図】図２
2009118280.tif 000002
【特許請求の範囲】
【請求項１】
移動するユーザ端末と、収容するセル内にて前記ユーザ端末との間で無線通信を行う基地局と、前記基地局からのデータを処理する無線ネットワーク制御装置と、前記無線ネットワーク制御装置の上位局である交換局を含むコアネットワークとから構成される移動体通信システムにおいて、
前記コアネットワークに接続された全ての前記無線ネットワーク制御装置からアクセス可能であり、全ての前記無線ネットワーク制御装置の識別情報ＲＮＣ−ＩＤと各無線ネットワーク制御装置が収容する前記基地局のセルの識別情報ＣーＩＤとを対応付けて記憶したデータベースを設置し、
全ての前記無線ネットワーク制御装置のうち、前記データベースから前記ユーザ端末と通信中の前記基地局を管理する前記無線ネットワーク制御装置は、該通信中の基地局を管理する前記無線ネットワーク制御装置を示す第１の識別情報ＲＮＣ−ＩＤと、該通信中の基地局のセルである通信セルを示す第２の識別情報Ｃ−ＩＤと、該通信セルに隣接するセルを示す第３の識別情報Ｃ−ＩＤと、該隣接するセルを収容する基地局を管理する前記無線ネットワーク制御装置を示す第４の識別情報ＲＮＣ−ＩＤとを取得することを特徴とする移動体通信システム。
【請求項２】
移動するユーザ端末と、収容するセル内にて前記ユーザ端末との間で無線通信を行う基地局と、前記基地局からのデータを処理する無線ネットワーク制御装置と、前記無線ネットワーク制御装置の上位局である交換局を含むコアネットワークとから構成される移動体通信システムにおいて、
前記コアネットワークに接続された全ての前記無線ネットワーク制御装置からアクセス可能であり、全ての前記無線ネットワーク制御装置の識別情報ＲＮＣ−ＩＤと各無線ネットワーク制御装置が収容する前記基地局の識別情報ＣーＩＤと隣接セルの固有情報とを対応付けて記憶したデータベースを設置し、
前記無線ネットワーク制御装置は、
前記ユーザ端末と通信中の前記基地局を管理する前記無線ネットワーク制御装置を示す第１の識別情報ＲＮＣ−ＩＤと、該通信中の基地局のセルである通信セルを示す第２の識別情報Ｃ−ＩＤとを、前記通信セルに隣接するセルの隣接セル情報を検索するキー情報にして前記データベースから前記通信セルの全ての隣接セル情報を取得する隣接セル情報取得機能部と、
前記データベースに自己の制御下のセルの前記隣接セル情報を複製する隣接セル情報更新機能部と
を有することを特徴とする移動体通信システム。
【請求項３】
前記ユーザ端末は、隣接セルの基地局から受信する電波の品質を測定し、受信品質が所定値以上に高くなると、隣接セルを通信セルとして追加する要求を行う手段を有し、
前記ユーザ端末と通信中の基地局を管理する第１の無線ネットワーク制御装置は、ハンドオーバーのため前記ユーザ端末からの前記隣接セルを通信セルとして追加する要求を受信したとき、前記隣接セル情報取得機能部により、前記データベースから前記通信セルの隣接セル情報を取得し、取得した前記隣接セル情報が前記第１の無線ネットワーク制御装置とは異なる第２の無線ネットワーク制御装置が管理する基地局に収容された隣接セルであることを示しているときは、前記第２の無線ネットワーク制御装置に対してセットアップリクエスト信号を送信して、該第２の無線ネットワーク制御装置により前記隣接セルを通信セルとして制御させる手段を有することを特徴とする請求項２記載の移動体通信システム。
【請求項４】
前記無線ネットワーク制御装置は、
再起動した場合、制御下のセルの隣接セル情報を一括して前記データベースに前記隣接セル情報更新機能部により複製した後、その無線ネットワーク制御装置を示す識別情報ＲＮＣ−ＩＤを通信セルの識別情報ＲＮＣ−ＩＤのキーに指定して前記隣接セル情報更新機能部に前記データベースに記憶されている前記隣接セル情報の削除を指示する手段と、
削除指示後に、前記無線ネットワーク制御装置の第１の識別情報ＲＮＣ−ＩＤとその制御下のセルの第１の識別情報Ｃ−ＩＤ、及び前記制御下のセルの隣接セルを管理する前記無線ネットワーク制御装置の第２の識別情報ＲＮＣ−ＩＤとその隣接セルの第２の識別情報Ｃ−ＩＤと隣接セルの固有情報とを隣接セル情報として新規に前記データベースに登録する手段とを有することを特徴とする請求項２又は３記載の移動体通信システム。
【請求項５】
前記データベースに記憶されている前記隣接セルの固有情報の変更時は、変更する固有情報に対応する隣接セルを管理する前記無線ネットワーク制御装置の識別情報及び前記隣接セルの識別情報と、前記隣接セルに隣接するセルを通信セルとしてその通信セルを管理する前記無線ネットワーク制御装置の識別情報及び前記通信セルの識別情報とを指定して前記隣接セル情報更新機能部により前記隣接セルの固有情報を更新することを特徴とする請求項２乃至４のうちいずれか一項記載の移動体通信システム。
【請求項６】
前記セットアップリクエスト信号は、ＲＮＳＡＰ（Radio Network Subsystem Application Part）プロトコルの制御信号であることを特徴とする請求項３記載の移動体通信システム。
【請求項７】
収容するセル内にて移動するユーザ端末との間で無線通信を行う基地局からのデータを処理して該基地局を管理すると共に、上位局である交換局を含むコアネットワークに接続された移動体通信システムの無線ネットワーク制御装置であって、
前記移動体通信システム内の前記コアネットワークに接続された全ての前記無線ネットワーク制御装置の識別情報ＲＮＣ−ＩＤと各無線ネットワーク制御装置が収容する前記基地局のセルの識別情報ＣーＩＤとを対応付けて記憶したデータベースをアクセスする手段と、
前記データベースから前記ユーザ端末と通信中の前記基地局を管理する無線ネットワーク制御装置を示す第１の識別情報ＲＮＣ−ＩＤと、該通信中の基地局のセルである通信セルを示す第２の識別情報Ｃ−ＩＤと、該通信セルに隣接するセルを示す第３の識別情報Ｃ−ＩＤと、該隣接するセルを収容する基地局を管理する前記無線ネットワーク制御装置を示す第４の識別情報ＲＮＣ−ＩＤとを取得する手段と
を有することを特徴とする無線ネットワーク制御装置。
【請求項８】
収容するセル内にて移動するユーザ端末との間で無線通信を行う基地局からのデータを処理して該基地局を管理すると共に、上位局である交換局を含むコアネットワークに接続された移動体通信システムの無線ネットワーク制御装置であって、
前記移動体通信システム内の前記コアネットワークに接続された全ての前記無線ネットワーク制御装置の識別情報ＲＮＣ−ＩＤと各無線ネットワーク制御装置が収容する前記基地局のセルの識別情報ＣーＩＤとを対応付けて記憶したデータベースをアクセスする手段と、
前記ユーザ端末と通信中の前記基地局を管理する前記無線ネットワーク制御装置を示す第１の識別情報ＲＮＣ−ＩＤと、該通信中の基地局のセルである通信セルを示す第２の識別情報Ｃ−ＩＤとを、前記通信セルに隣接するセルの隣接セル情報を検索するキー情報にして前記データベースから前記通信セルの全ての隣接セル情報を取得する隣接セル情報取得機能部と、
前記データベースに自己の制御下のセルの前記隣接セル情報を複製する隣接セル情報更新機能部と
を有することを特徴とする無線ネットワーク制御装置。
【請求項９】
前記ユーザ端末からの前記隣接セルを通信セルとして追加する要求を受信したとき、前記隣接セル情報取得機能部により、前記データベースから前記通信セルの隣接セル情報を取得し、取得した前記隣接セル情報が自装置とは異なる他の無線ネットワーク制御装置が管理する基地局に収容された隣接セルであることを示しているときは、前記他の無線ネットワーク制御装置に対してセットアップリクエスト信号を送信して、該他の無線ネットワーク制御装置により前記隣接セルを通信セルとして制御させる手段を有することを特徴とする請求項８記載の無線ネットワーク制御装置。
【請求項１０】
再起動した場合、制御下のセルの隣接セル情報を一括して前記データベースに前記隣接セル情報更新機能部により複製した後、その無線ネットワーク制御装置を示す識別情報ＲＮＣ−ＩＤを通信セルの識別情報ＲＮＣ−ＩＤのキーに指定して前記隣接セル情報更新機能部に前記データベースに記憶されている前記隣接セル情報の削除を指示する手段と、
削除指示後に、前記無線ネットワーク制御装置の第１の識別情報ＲＮＣ−ＩＤとその制御下のセルの第１の識別情報Ｃ−ＩＤ、及び前記制御下のセルの隣接セルを管理する前記無線ネットワーク制御装置の第２の識別情報ＲＮＣ−ＩＤとその隣接セルの第２の識別情報Ｃ−ＩＤと隣接セルの固有情報とを隣接セル情報として新規に前記データベースに登録する手段と
を有することを特徴とする請求項８又は９記載の無線ネットワーク制御装置。
【請求項１１】
前記データベースに記憶されている前記隣接セルの固有情報の変更時は、変更する固有情報に対応する隣接セルを管理する前記無線ネットワーク制御装置の識別情報及び前記隣接セルの識別情報と、前記隣接セルに隣接するセルを通信セルとしてその通信セルを管理する前記無線ネットワーク制御装置の識別情報及び前記通信セルの識別情報とを指定して前記隣接セル情報更新機能部により前記隣接セルの固有情報を更新することを特徴とする請求項８乃至１０のうちいずれか一項記載の無線ネットワーク制御装置。
【発明の詳細な説明】
【技術分野】
【０００１】
本発明は移動体通信システム及び無線ネットワーク制御装置に係り、特に移動するユーザ端末（移動体）と基地局と無線ネットワーク制御装置（ＲＮＣ）と交換局を含むコアネットワークから構成される移動体通信システム及び無線ネットワーク制御装置に関する。
【背景技術】
【０００２】
３ＧＰＰ(3rd Generation Partnership Project)で標準勧告が作成されている移動体通信システムは、ユーザ端末(携帯電話機等の移動体)が通信するセルを跨る移動をする際に、通信を切断せずに、移動先のセルでも通信を継続するハンドオーバー機能を有する。この３ＧＰＰで標準勧告が作成されている移動体通信システムのネットワークは、図６に示すように、交換局やシグナル・トランスファー・ポイント（ＳＴＰ）等の信号装置からなるコアネットワーク１１と、無線ネットワーク制御装置（ＲＮＣ）１２ａ，１２ｂと、基地局（Ｎｏｄｅ Ｂ）１３ａ−１，１３ａ−２，１３ｂ−１，１３ｂ−２とから構成されている。
【０００３】
基地局（Ｎｏｄｅ Ｂ）１３ａ−１，１３ａ−２，１３ｂ−１，１３ｂ−２のそれぞれは、単数以上のセルを収容する。図６では基地局１３ａ−１がセル１４ａ−１を、基地局１３ａ−２がセル１４ａ−２を、基地局１３ｂ−１がセル１４ｂ−１を、基地局１３ｂ−２がセル１４ｂ−２をそれぞれ収容している。これらのセル１４ａ−１、１４ａ−２、１４ｂ−１、１４ｂ−２は互いに接する様に配置されており、移動するユーザ端末１５がどこに居てもいずれかのセル内に存在し、通信サービスを受けられるようシステムが構成されている。
【０００４】
いま、ユーザ端末１５がセル１４ａ−１に存在している状態で通信を開始し、以降、セル１４ａ−２、セル１４ｂ−１、セル１４ｂ−２の順に通信を継続しながらユーザ端末１５が移動していくものとする。ユーザ端末１５がセル１４ａ−１で通信を開始した時、該当セル１４ａ−１を収容する基地局（Ｎｏｄｅ Ｂ）１３ａ−１を制御するＲＮＣ１２ａがユーザ端末１５の通信を制御するＲＮＣ（Serving ＲＮＣ）となる。
【０００５】
ユーザ端末１５は通信中にセル１４ａ−１から隣接するセル１４ａ−２に移動する可能性がある。移動体通信システムでは、Serving ＲＮＣ１２ａはユーザ端末１５が隣接するセル１４ａ−２に移動する可能性が有ると判断し、ＲＲＣ（Radio Resource Control）プロトコルのメジャメント制御（MEASUREMENT CONTROL）信号で受信品質の測定対象セルとしてユーザ端末１５に通知する。
【０００６】
ユーザ端末１５は基地局（Ｎｏｄｅ Ｂ）１３ａ−２から受信する電波の品質を測定し、受信品質が所定値以上に高くなると、ＲＲＣ（Radio Resource Control）プロトコルのメジャメント・リポート（MEASUREMENT REPORT）信号で隣接する１４ａ−２を通信セルとして追加する要求を、基地局（Ｎｏｄｅ Ｂ）１３ａ−１を介してServing ＲＮＣ１２ａに通知する。Serving ＲＮＣ１２ａではメジャメント・リポート信号を契機に通信セルの追加制御を行う。
【０００７】
セル１４ａ−２を通信セルに追加したことで、新たにセル１４ｂ−１が隣接するセルとなるため、セル１４ｂ−１を受信品質の測定対象セルとして追加する。以上の流れを繰り返すことでハンドオーバー機能の通信セルの追加を実現している。なお、ハンドオーバー機能とは、ユーザ端末１５がセルを跨いで移動しても、ユーザ端末１５が電波品質の変化に応じて無線回線を隣接セルへ切り替えていくことにより、通信が切断されることなく、通信を継続しながら移動することができるサービス機能である。
【０００８】
ここで、広いエリアに通信サービスを提供する移動体通信システムにおいては、ネットワーク内の全てのセルの情報を全てのＲＮＣがそれぞれ保持するとデータ量が膨大になる。そのため、Serving ＲＮＣ１２ａが制御するセル１４ａ−１及び１４ａ−ｂと、それに隣接する別のＲＮＣ１２ｂが制御するセルの中で、直接隣り合うセル１４ｂ−１の情報をのみを自ＲＮＣ１２ａに関係する情報として保持していることが多い（例えば、特許文献１参照）。
【０００９】
特許文献１には、ＲＮＣがセル毎にそのセルについての隣接セル（近隣セル）のセル情報を予め記憶しているデータベース装置を有し、使用中セルのうち使用開始順序が最後の使用中セルについての隣接セル（近隣セル）のセル情報を優先してデータベース装置から取り出し、そのセル情報をユーザ端末に通知するメッセージに格納する構成が開示されている。
【００１０】
セル１４ｂ−１の制御は、基地局（Ｎｏｄｅ Ｂ）１３ｂ−１を収容するＲＮＣ１２ｂで実施する。ユーザ端末１５からＲＲＣ（Radio Resource Control）プロトコルのメジャメント・リポート信号でセル１４ｂ−１を通信セルとして追加する要求をServing ＲＮＣ１２ａが受信すると、ＲＮＣ１２ｂに対して通信セル１４ｂ−１の制御を行うためにＲＮＳＡＰ（Radio Network Subsystem Application Part）プロトコルのRADIO LINK SETUP REQUEST信号を送信する。ＲＮＣ１２ｂはDrift ＲＮＣとして動作し、セル１４ｂ−１の制御を行う。
【００１１】
なお、図６には示していないが、既にDrift ＲＮＣ１２ｂ配下に通信中のセルが有り、該当セルを収容する基地局（Ｎｏｄｅ Ｂ）の別セルに通信セルを設定する場合は、RADIO LINK ADDITION REQUEST信号を使用する。
【００１２】
ＲＮＳＡＰ（Radio Network Subsystem Application Part）プロトコル信号は、下位プロトコルとしてＳＣＣＰ（Signaling Connection Control Part）を使用することが常である。ＲＮＳＡＰ（Radio Network Subsystem Application Part）プロトコルの信号は、Serving ＲＮＣ１２ａとDrift ＲＮＣ１２ｂの間の単数もしくは複数の中継機能を持つＳＣＣＰ（Signaling Connection Control Part）信号局を経由する。
【００１３】
セル１４ｂ−１を通信セルに加えることでセル１４ｂ−２が新たに隣接するセルとなるが、Serving ＲＮＣ１２ａは自身が制御するセル１４ａ−１，１４ａ−２とセル１４ｂ−２が隣接しておらず、セル１４ｂ−２についての情報を保持していない。このため、Serving ＲＮＣ１２ａ単独ではＲＲＣ（Radio Resource Control）プロトコルのメジャメント制御（MEASUREMENT CONTROL）信号を送信して受信品質の測定対象セルをユーザ端末１５に追加することができない。
【００１４】
そのため、Drift ＲＮＣ１２ｂからServing ＲＮＣ１２ａに送信する応答信号であるＲＮＳＡＰ（Radio Network Subsystem Application Part）プロトコルのRADIO LINE SETUP RESPONSE信号、RADIO LINE SETUP FAILURE信号、RADIO LINE ADDITION RESPONSE信号、RADIO LINE ADDITION FAILURE信号に、新規に設定した通信セルの隣接セルに関する情報要素を載せることでServing ＲＮＣ１２ａでは隣接セル情報を使用してユーザ端末１５の通信を制御する。
【００１５】
なお、サービングＢＴＳ（基地局）サイトで隣接セルリストを保守し、複数のＢＴＳを制御している無線ネットワークコントローラ（ＲＴＣ）サイト又は集中移動機交換センター（ＭＳＣ）で保有されているデータベース上に隣接セルリストを保管する移動体通信システムも知られている（例えば、特許文献２参照）。
【００１６】
【特許文献１】特開２００６−２２２６５１号公報
【特許文献２】特表２００４−５０１５８４号公報
【発明の開示】
【発明が解決しようとする課題】
【００１７】
しかるに、図６に示した移動体通信システムでは、Drift ＲＮＣにおける、Serving ＲＮＣに通知するための隣接セルの情報を検索し設定する処理負荷が発生するという課題がある。これは、隣接セルの情報はServing ＲＮＣであり、Serving ＲＮＣの隣接セルの情報を通知するためにDrift ＲＮＣの処理能力を使用していることがDrift ＲＮＣにとっての冗長な処理と考えられるためである。なお、特許文献１記載の発明では、ＲＮＣ１２ａ、１２ｂのそれぞれがデータベース装置を個別に有し、そのデータベース装置には自身が収容している配下の基地局の複数のセルのみ（例えばＲＮＣ１２ａではセル１４ａ−１、１４ａ−２、ＲＮＣ１２ｂではセル１４ｂ−１、１４ｂ−２）を隣接セルリストとして記憶しているだけであり、上記の課題が存在する。これは特許文献２の発明でも同様である。
【００１８】
また、図６に示した移動体通信システムでは、コアネットワーク１１内を流れるＲＮＳＡＰ（Radio Network Subsystem Application Part）プロトコルの信号が増加するという課題もある。その理由は、ＲＮＳＡＰ（Radio Network Subsystem Application Part）プロトコルは、下位プロトコルにＳＣＣＰ（Signaling Connection Control Part）を使用することが常であり、ＲＮＳＡＰプロトコルの信号はServing ＲＮＣとDrift ＲＮＣの間の中継機能を持つ単数または複数のＳＣＣＰ信号局を経由して転送されるためである。
【００１９】
本発明は上記の点に鑑みなされたもので、Drift ＲＮＣからServing ＲＮＣへの隣接セルの情報の通知を削減することにより、Drift ＲＮＣの処理負荷を削減し通信性能を向上し得る移動体通信システム及び無線ネットワーク制御装置を提供することを目的とする。
【００２０】
また、本発明の他の目的は、コアネットワーク内を経由するＲＮＳＡＰプロトコルの信号量を削減し得る移動体通信システム及び無線ネットワーク制御装置を提供することにある。
【課題を解決するための手段】
【００２１】
上記の目的を達成するため、本発明の移動体通信システムは、移動するユーザ端末と、収容するセル内にてユーザ端末との間で無線通信を行う基地局と、基地局からのデータを処理する無線ネットワーク制御装置と、無線ネットワーク制御装置の上位局である交換局を含むコアネットワークとから構成される移動体通信システムにおいて、
コアネットワークに接続された全ての無線ネットワーク制御装置からアクセス可能であり、全ての無線ネットワーク制御装置の識別情報ＲＮＣ−ＩＤと各無線ネットワーク制御装置が収容する基地局のセルの識別情報ＣーＩＤとを対応付けて記憶したデータベースを設置し、全ての無線ネットワーク制御装置のうち、データベースからユーザ端末と通信中の基地局を管理する無線ネットワーク制御装置は、通信中の基地局を管理する無線ネットワーク制御装置を示す第１の識別情報ＲＮＣ−ＩＤと、通信中の基地局のセルである通信セルを示す第２の識別情報Ｃ−ＩＤと、通信セルに隣接するセルを示す第３の識別情報Ｃ−ＩＤと、隣接するセルを収容する基地局を管理する無線ネットワーク制御装置を示す第４の識別情報ＲＮＣ−ＩＤとを取得することを特徴とする。
【００２２】
また、上記の目的を達成するため、本発明の無線ネットワーク制御装置は、収容するセル内にて移動するユーザ端末との間で無線通信を行う基地局からのデータを処理して基地局を管理すると共に、上位局である交換局を含むコアネットワークに接続された移動体通信システムの無線ネットワーク制御装置であって、
移動体通信システム内のコアネットワークに接続された全ての無線ネットワーク制御装置の識別情報ＲＮＣ−ＩＤと各無線ネットワーク制御装置が収容する基地局のセルの識別情報ＣーＩＤとを対応付けて記憶したデータベースをアクセスする手段と、データベースからユーザ端末と通信中の基地局を管理する無線ネットワーク制御装置を示す第１の識別情報ＲＮＣ−ＩＤと、通信中の基地局のセルである通信セルを示す第２の識別情報Ｃ−ＩＤと、通信セルに隣接するセルを示す第３の識別情報Ｃ−ＩＤと、隣接するセルを収容する基地局を管理する無線ネットワーク制御装置を示す第４の識別情報ＲＮＣ−ＩＤとを取得する手段とを有することを特徴とする。
【発明の効果】
【００２３】
本発明によれば、隣接セル情報を設定する処理を削減し、削減量に相当する移動体通信制御を新たに処理することが可能になることで、無線ネットワーク制御装置の処理性能を向上できる。また、本発明によれば、コアネットワーク内の制御信号量を削減できる。
【発明を実施するための最良の形態】
【００２４】
次に、本発明の実施の形態について図面と共に詳細に説明する。図１は本発明になる移動体通信システムの一実施の形態のシステム構成図、図２は図１の要部であるデータベース６及びＲＮＣの一例の概略構成図、図３は図１中のＲＮＣの一例の概略ブロック図、図４は図１中の基地局(Node Ｂ)の一例の概略ブロック図、図５は図１中のユーザ端末（ＵＥ）の一例のブロック図を示す。
【００２５】
本実施の形態は、図１に示すように、交換局やＳＴＰ等の信号装置からなるコアネットワーク１と、無線ネットワーク制御装置（ＲＮＣ）２ａ及び２ｂと、基地局（Node Ｂ）３ａ−１，３ａ−２，３ｂ−１，３ｂ−２と、データベース６とから構成されている。基地局（Node Ｂ）３ａ−１，３ａ−２，３ｂ−１，３ｂ−２のそれぞれは、単数以上のセルを収容する。図１では基地局３ａ−１がセル４ａ−１を、基地局３ａ−２がセル４ａ−２を、基地局３ｂ−１がセル４ｂ−１を、基地局３ｂ−２がセル４ｂ−２をそれぞれ収容している。各セル４ａ−１、４ａ−２、４ｂ−１、４ｂ−２のうち隣接するセルは互いに接する様に配置されており、ユーザ端末（ＵＥ）５がどこに居てもいずれかのセル内に存在し、通信サービスを受けられるようシステムが構成されている。
【００２６】
データベース６は、図２に示すように、通信セルのＲＮＣ−ＩＤとＣ−ＩＤ、通信セルに隣接したセル（隣接セル）のＲＮＣ−ＩＤとＣ−ＩＤ、及び、隣接セルの固有情報を１つの記憶要素（行）とした構成の隣接セル情報のデータベースであって、図１に示すように、移動体通信システム内の全てのＲＮＣ２ａ、２ｂからアクセス可能なネットワーク内に設置されている。ＲＮＣ−ＩＤとＣ−ＩＤとの組み合わせを用いているのは、ある移動体通信システムの中のセルを一意に識別することが可能な情報であるためであり、通信セル及びその隣接セルの識別情報として適用している。また、図２の行番号は後述の図の説明のために付与している。
【００２７】
データベース６は、ＡＮＳＩ(米国規格協会)，ＩＳＯ（国際標準化機構）で標準化されるＳＱＬなど、標準化されたデータベース言語をサポートするリレーショナルデータベースマネジメントシステム（Relational Database Management System：ＲＤＢＭＳ）で構築する。データベース６はＳＱＬなどの標準化されたデータベース言語をサポートすることで、ＲＮＣ２ａ、２ｂからの隣接セルの固有情報の読み出し、新規の隣接セル情報の追加、既存隣接セル情報の削除、既存隣接セル情報の更新を行うことが可能である。
【００２８】
また、図２には、データベース６と関連する各ＲＮＣ２ａ、２ｂ内の実装された構成として、隣接セル情報取得機能部８ａ、８ｂと、隣接セル情報更新機能部９ａ、９ｂとが設けられていることが示されている。隣接セル情報取得機能部８ａ、８ｂは、通信セルのＲＮＣ−ＩＤとＣ−ＩＤを隣接セル情報を検索するキー情報にしてＳＱＬなどの標準化されたデータベース言語を使用することで、データベース６から通信セルの全ての隣接セル情報を取得する機能を提供する。隣接セル情報更新機能部９ａ、９ｂは、ＳＱＬなどの標準化されたデータベース言語を使用してデータベース６の隣接セル情報の更新を行う機能を提供する。
【００２９】
ＲＮＣ２ａ、２ｂは同一構成で、例えば図３に２で示す概略構成とされている。図３に示すように、無線ネットワーク制御装置（ＲＮＣ）２（２ａ、２ｂ）は、基地局とユーザ端末（ＵＥ）５との間の無線通信を制御する構成であり、データ処理部２１、記憶部２２、入出力インタフェース２３及びインタフェース２４から大略構成されている。データ処理部２１は図２に示した隣接セル情報取得機能部８ａ（８ｂ）及び隣接セル情報更新機能部９ａ（９ｂ）を少なくとも有しており、インタフェース２４を介して図１及び図２に示したデータベース６に接続されている。
【００３０】
また、記憶部２２は、通信中の各ユーザ端末が使用しているセルの情報と、そのセルが使用中セルのテーブルに追加された順序などを記憶し、ハンドオーバーにより新たにセルが使用中となると、そのセルの情報をテーブルに追加し、ハンドオーバーにより使用中のセルが削除されると、上記の使用中セルのテーブルから削除する。入出力インタフェース２３は、任意のユーザ端末からの隣接セルリスト情報生成要求を受け、データ処理部２１に処理の開始を指示する。また、入出力インタフェース２３は、データ処理部２１の隣接セル情報をメジャメント制御信号メッセージに格納してユーザ端末に送信する。また、入出力インタフェース２３はコアネットワーク１とのインタフェース機能も有する。
【００３１】
データ処理部２１内の隣接セル情報更新機能部９ａ、９ｂは、各ＲＮＣ制御下セルの隣接セル情報をデータベース６に複製する。結果として移動体通信システムを構成する全てのセルそれぞれの隣接セル情報がデータベース６に集約され、隣接セル情報リスト７がデータベース６に形成される。
【００３２】
サービング（Serving）ＲＮＣが他のＲＮＣ配下に新たに通信セルを追加設定する場合、Serving ＲＮＣはドリフト（Drift）ＲＮＣに対してＲＮＳＡＰ（Radio Network Subsystem Application Part）プロトコルのRADIO LINK SETUP REQUEST信号またはRADIO LINＫ ADDITION REQUEST信号を送信する。
【００３３】
Drift ＲＮＣは隣接セルの固有情報をデータベース６に複製しているため、Drift ＲＮＣではデータベース６に登録した隣接セル情報をＲＮＳＡＰプロトコルの応答信号であるRADIO LINK SETUP RESPONSE信号、RADIO LINＫ ADDITION RESPONSE信号、RADIO LINＫ ADDITIONFAILURE信号に含めない。
【００３４】
また、Serving ＲＮＣにおいては、Drift ＲＮＣからのＲＮＳＡＰプロトコルの応答信号に隣接セル情報が含まれていることを期待せず、隣接セル情報取得機能部８ａ、８ｂを使用して新規に追加した通信セルの全ての隣接セル情報を取得することでユーザ端末（ＵＥ）５の通信を継続して制御する。
【００３５】
また、図１の基地局（Ｎｏｄｅ Ｂ）３ａ−１、３ａ−２、３ｂ−１、３ｂ−２はそれぞれ同一構成で例えば、図４のブロック図に３で示す構成とされている。図４に示すように、基地局（Ｎｏｄｅ Ｂ）３（３ａ−１、３ａ−２、３ｂ−１、３ｂ−２）は、インタフェース３１、信号処理部３２、無線部３３、制御部３４及び送受信アンテナ３５を備えている。
【００３６】
インタフェース３１は、無線ネットワーク制御装置（ＲＮＣ）２ａ、２ｂとのインタフェースで、ＲＮＣ２ａ、２ｂからユーザ端末（ＵＥ）５へ送信するデータを受信して信号処理部３２に入力すると共に、ＲＮＣ２ａ、２ｂからの基地局（Ｎｏｄｅ Ｂ）３に対する制御データを受信して制御部３４に供給する。
【００３７】
また、インタフェース３１は、信号処理部３２から出力されたユーザ端末（ＵＥ）５からの上りリンク信号に含まれる受信データを取得して、ＲＮＣ２ａ、２ｂに送信すると共に、制御部３４からのＲＮＣ２ａ、２ｂに対する制御データを取得してＲＮＣ２ａ、２ｂに送信する。
【００３８】
信号処理部３２は、インタフェース３１から取得したデータに対してＲＬＣ処理、ＭＡＣ処理、拡散処理、符号化処理などを施してベースバンド信号を生成し、そのベースバンド信号を無線部３３に供給する。また、信号処理部３２は、無線部３３から取得したベースバンド信号に対して、ＲＬＣ処理、ＭＡＣ処理、逆拡散処理、ＲＡＫＥ処理などを施してユーザデータを抽出し、インタフェース３１に転送する。
【００３９】
無線部３３は、信号処理部３２から取得したベースバンド信号を所定の無線周波数帯のＲＦ信号に変換して、送受信アンテナ３５から送信する。また、送受信アンテナ３５を介して受信した所定の無線周波数帯のＲＦ信号をベースバンド信号に変換して信号処理部３２に供給する。制御部３４はインタフェース３１から取得した制御データに基づいて呼制御処理を行う。
【００４０】
また、図１のユーザ端末（ＵＥ）５は例えば図５のブロック図に示す公知の構成とされている。図５に示すように、ユーザ端末（ＵＥ）５は、送受信アンテナ５０と、ユーザ端末５を統括的に制御する制御部５１と、テンキーなどの入力部５２と、プログラムや電話帳データなどを記憶している記憶部５３と、送受信アンテナ５０を介して最寄りの基地局（Ｎｏｄｅ Ｂ）３ａ−１、３ａ−２、３ｂ−１又は３ｂ−２との間で無線通信する無線部５４と、音声処理部５６と、音声入出力部５７と、表示駆動部５８と、表示部５９とを有している。
【００４１】
信号処理部５５は、制御部５１からのダイヤル信号や文字データ又は音声処理部５６からの送話音声信号に対して所定の信号処理を行い、無線部５４へ送信信号として供給する。また、信号処理部５５は、無線部５４で受信した信号に対して所定の信号処理を行って得られた文字データなどを制御部５１へ出力し、また受話音声信号を音声処理部５６へ供給する。
【００４２】
音声入出力部５７は、送話音声信号を音響−電気変換するマイクロフォンと、受話音声信号を電気−音響変換して発音するスピーカとからなる。音声処理部５６はマイクロフォンからの送話音声信号に対して所定の音声処理を行って信号処理部５５へ供給し、また、信号処理部５５からの受話音声信号に対して所定の音声処理を行ってスピーカへ出力する。表示駆動部５８は制御部５１からの表示信号に対して所定の公知の表示処理を行って表示部５９に表示させる。
【００４３】
次に、図１の実施の形態の要部であるデータベース６、隣接セル情報取得機能部８ａ、８ｂ、隣接セル情報更新機能部９ａ、９ｂの動作について、図２等を併せ参照して説明する。
【００４４】
図１の移動体通信システムを構成するセル４ａ−１，４ａ−２，４ｂ−１，４ｂ−２のうち、セル４ａ−１はセル４ａ−２のみと接しており、セル４ａ−２はそれに加えてセル４ｂ−１とも接している。セル４ｂ−１はセル４ａ−２とセル４ｂ−２と接しており、セル４ｂ−２はセル４ｂ−１のみと接するように配置されている。各セル４ａ−１，４ａ−２，４ｂ−１，４ｂ−２の隣接セル情報をデータベース６に複製したものが図２の隣接セル情報リスト７である。
【００４５】
いま、ユーザ端末（ＵＥ）５がセル４ａ−１内に在圏し、基地局（Ｎｏｄｅ Ｂ）３ａ−１との間で通信を開始し、以降、セル４ａ−２、セル４ｂ−１、セル４ｂ−２の順に通信を継続しながらユーザ端末（ＵＥ）５が移動していく場合を例にデータベース６及び隣接セル情報取得機能部８ａ及び８ｂの動作を説明する。
【００４６】
ユーザ端末（ＵＥ）５がセル４ａ−１内で基地局（Ｎｏｄｅ Ｂ）３ａ−１との間で通信を開始した時、該当セル４ａ−１を収容する基地局（Ｎｏｄｅ Ｂ）３ａ−１を管理するＲＮＣ２ａが、ユーザ端末（ＵＥ）５の通信を制御する特定局（Serving ＲＮＣ）となる。以降、通信セルにセル４ａ−２を追加し、セル４ｂ−１をＲＲＣ（Radio Resource Control）プロトコルのメジャメント制御（MEASUREMENT CONTROL）信号で受信品質の測定対象の隣接セルとしてユーザ端末（ＵＥ）５に通知するまでは背景技術に記載した動作と同様の動作を行う。
【００４７】
セル４ｂ−１の制御は、該当セル４ｂ−１を収容する基地局（Ｎｏｄｅ Ｂ）３ｂ−１を管理するＲＮＣ２ｂで実施する。ユーザ端末５からのＲＲＣ（Radio Resource Control）プロトコルのメジャメント・リポート（MEASUREMENT REPORT）信号でセル４ｂ−１を通信セルとして追加する要求を、特定局であるServing ＲＮＣ２ａが受信すると、ドリフト局であるDrift ＲＮＣ２ｂに対して通信セル４ｂ−１の制御を行うために、ＲＮＳＡＰ（Radio Network Subsystem Application Part）プロトコルのRADIO LINK SETUP REQUEST信号を送信する。この送信信号を受信したDrift ＲＮＣ２ｂはセル４ｂ−１の制御を行う。
【００４８】
セル４ｂ−１を通信セルに加えたことで、新たにセル４ｂ−２が隣接セルとなるが、Drift ＲＮＣ２ｂは隣接セルの固有情報をデータベース６に複製しているため、Drift ＲＮＣ２ｂではデータベース６に登録した隣接セルの固有情報をＲＮＳＡＰ（Radio Network Subsystem Application Part）プロトコルの応答信号であるRADIO LINK SETUP RESPONSE信号、RADIO LINＫ ADDITION RESPONSE信号、RADIO LINＫ ADDITIONFAILURE信号に含めない。
【００４９】
一方、Serving ＲＮＣ２ａでは、新規に追加した通信セル４ｂ−１の隣接セル情報が必要である。そのためServing ＲＮＣ２ａは、Drift ＲＮＣ２ｂのＲＮＣ−ＩＤとセル４ｂ−１のＣ−ＩＤをデータベース６内の隣接セル情報リスト７から隣接セル情報を検索するキー情報として隣接セル情報取得機能部８ａを使用する。その結果、Serving ＲＮＣ２ａは通信セル４ｂ−１の隣接セルである、セル４ａ−２，４ｂ−２の情報を取得する。これは図２の隣接セル情報リスト７の行番号４，５に該当する。
【００５０】
その結果、Serving ＲＮＣ２ａは、セル４ｂ−２が新たに隣接セルとなったことを認識し、ユーザ端末（ＵＥ）５に対してＮｏｄｅ Ｂを介してＲＲＣ（Radio Resource Control）プロトコルのメジャメント制御（MEASUREMENT CONTROL）信号を送信して、隣接セル４ｂ−２を受信品質の測定対象セルに加えることが可能になる。
【００５１】
次に、隣接セル情報更新機能部９ａ、９ｂの動作について、ＲＮＣが再起動した場合、Ｎｏｄｅ Ｂの撤去などにより特定セルが移動体通信システムから削除される場合、特定隣接セルの固有情報が変更になる場合を例に挙げて説明する。
【００５２】
ＲＮＣ２ａが再起動した場合、ＲＮＣ２ａ制御下のセル４ａ−１，４ａ−２の隣接セル情報を一括してデータベース６に複製する。ＲＮＣ２ａはＲＮＣ２ａのＲＮＣ−ＩＤを通信セルのＲＮＣ−ＩＤのキーに指定して隣接セル情報更新機能部９ａに隣接セル情報の削除を指示することで、隣接セル情報リスト７から行番号１，２，３を削除する。
【００５３】
続いて、ＲＮＣ２ａ制御下のセル４ａ−１，４ａ−２のＲＮＣ−ＩＤとＣ−ＩＤ、および隣接セルのＲＮＣ−ＩＤとＣ−ＩＤと隣接セルの固有情報を隣接セル情報として新規にデータベース６内の隣接セル情報リスト７に登録する。これにより、隣接セル情報リスト７に行番号１，２，３を追加する。
【００５４】
このように、再起動したＲＮＣの制御下のセルを通信セルとした隣接セル情報を一度全て削除し、再度全て登録することで、仮にデータベース６の隣接セル情報リスト７に隣接セル情報の欠損や異常などが存在しても、ＲＮＣの再起動を契機に復旧させることができる。
【００５５】
例えば、セル４ｂ−２が移動体通信システムから削除された場合、ＲＮＣ２ｂは、セル４ｂ−２に関する隣接セル情報を削除しなくてはならない。一方、ＲＮＣ２ａの制御下のセル４ａ−１及び４ａ−２は、いずれもセル４ｂ−２に接していないため、ＲＮＣ２ａは、隣接セル情報更新機能部９ａを使用して隣接セル情報を更新する必要はない。ＲＮＣ２ｂは、ＲＮＣ２ｂのＲＮＣ−ＩＤとセル４ｂ−２のＣ−ＩＤを通信セルのキー情報に指定して隣接セル情報更新機能部９ｂに隣接セル情報の削除を指示することで、隣接セル情報リスト７から行番号６を削除する。
【００５６】
続いて、ＲＮＣ２ｂのＲＮＣ−ＩＤを通信セルと隣接セルのＲＮＣ−ＩＤに、セル４ｂ−２のＣ−ＩＤを隣接セルのＣ−ＩＤのキー情報に指定して隣接セル情報更新機能部９ｂに隣接セル情報の削除を指示することで、隣接セル情報リスト７から行番号５を削除する。この動作により、あるＲＮＣがデータベース６の隣接セル情報リスト７に登録した隣接セル情報の中から、削除されたセルに関する隣接セル情報を削除することができる。
【００５７】
また、例えば、セル４ｂ−１の固有情報が変更になった場合は、ＲＮＣ２ａ，２ｂは隣接セルが４ｂ−１である隣接セル情報を更新しなくてはならない。このため、ＲＮＣ２ａは、ＲＮＣ２ａのＲＮＣ−ＩＤを通信セルのＲＮＣ−ＩＤに、ＲＮＣ２ｂのＲＮＣ−ＩＤとセル４ｂ−１のＣ−ＩＤを隣接セルのＲＮＣ−ＩＤとＣ−ＩＤに指定して隣接セル情報更新機能部９ａに隣接セルの固有情報の更新を指示することで隣接セル情報リスト７の行番号３の隣接セルの固有情報を更新する。
【００５８】
一方、ＲＮＣ２ｂは、ＲＮＣ２ｂのＲＮＣ−ＩＤを通信セルのＲＮＣ−ＩＤと隣接セルのＲＮＣ−ＩＤに、セル４ｂ−１のＣ−ＩＤを隣接セルのＣ−ＩＤに指定して隣接セル情報更新機能部９ｂに隣接セルの固有情報の更新を指示することで隣接セル情報リスト７の行番号６の隣接セルの固有情報を更新する。この動作により、あるＲＮＣがデータベース６の隣接セル情報リスト７に登録した隣接セル情報の中から、固有情報が変更になった隣接セル情報を更新することができる。
【００５９】
以上を纏めると、本実施の形態によれば、隣接セル情報更新機能部９ａ、９ｂにより移動体通信システムを構成する全てのセルそれぞれの隣接セル情報がデータベース６に集約され、隣接セル情報リスト７が形成される。また、本実施の形態によれば、隣接セル情報取得機能部８ａ、８ｂを使用することでServing ＲＮＣがユーザ端末５のハンドオーバー制御に必要な隣接セルの固有情報を取得することができるため、ＲＮＳＡＰ（Radio Network Subsystem Application Part）プロトコルの信号を用いてのDrift ＲＮＣからServing ＲＮＣへの隣接セルの固有情報の通知が不要となり、Drift ＲＮＣでの隣接セル情報の検索やＲＮＳＡＰ（Radio Network Subsystem Application Part）プロトコルの信号に設定する処理を削減することができる。このため、削減量に相当する移動体通信制御を新たに処理することが可能になるため、ＲＮＣの処理性能を向上することができる。
【００６０】
また、ＲＮＳＡＰプロトコルはServing ＲＮＣとDrift ＲＮＣとの間の制御プロトコルであるため、下位プロトコルのＳＣＣＰ（Signaling Connection Control Part）を使用することが常であり、ＲＮＳＡＰプロトコルの信号はServing ＲＮＣとDrift ＲＮＣとの間の中継機能を持つ単数または複数のＳＣＣＰ信号局を経由して転送される。そのため、ＲＮＳＡＰ（Radio Network Subsystem Application Part）プロトコルの信号に設定する処理を削減することで、コアネットワーク１内を流れるＲＮＳＡＰ（Radio Network Subsystem Application Part）プロトコルの信号量も削減できる。
【００６１】
なお、本発明は以上の実施の形態に限定されるものではなく、その他の変形例も可能である。例えば、上記の実施の形態では、隣接セル情報更新機能部９ａ、９ｂはＲＮＣに実装することとしているが、ＲＮＣに実装することは必須ではなく、データベース６内の隣接セル情報リスト７を最新に保つことができればよいので、例えば、移動体通信システムの構成を設計管理するシステムに隣接セル情報更新機能部を実装してもよい。
【００６２】
また、データベース６は図１や図２では１システムのみ示しているが、複数のデータベースシステムで構成していてもよい。全てのＲＮＣからアクセス可能であり、ＡＮＳＩ，ＩＳＯで標準化されているＳＱＬなど、標準化されたデータベース言語をサポートするリレーショナルデータベースマネジメントシステム（Relational Database Management System：ＲＤＢＭＳ）で構築していればよい。
【００６３】
例えば、Ｎ（Ｎ＞１の整数）システムのデータベースを用いる場合、通信セルのＲＮＣ−ＩＤをＮで除算した余り（０，１，・・，Ｎ−１の整数）番目のデータベースに隣接セル情報を登録するように移動体通信システム内で取り決めることで、複数システムのデータベースに隣接セル情報を分散管理することができる。
【００６４】
また、隣接セル情報取得機能部８ａ、８ｂを使用してデータベース６から隣接セル情報を取得するのを他ＲＮＣ制御下セルへのハンドオーバー時に限定して記載したが、データベース６には自ＲＮＣ制御下セルの隣接セル情報も複製しているため、自ＲＮＣ制御下セルの隣接セル情報の取得をデータベースから行うこともできる。
【図面の簡単な説明】
【００６５】
【図１】本発明の移動体通信システムの一実施の形態のシステム構成図である。
【図２】図１の要部であるデータベース及びＲＮＣの一例の概略構成図である。
【図３】図１中のＲＮＣの一例の概略ブロック図である。
【図４】図１中の基地局(Node Ｂ)の一例の概略ブロック図である。
【図５】図１中のユーザ端末（ＵＥ）の一例のブロック図である。
【図６】本発明に関連する移動体通信システムの一例のシステム構成図である。
【符号の説明】
【００６６】
１  コアネットワーク
２ａ、２ｂ、２  無線ネットワーク制御装置（ＲＮＣ）
３ａ−１、３ａ−２、３ｂ−１、３ｂ−２、３  基地局（Ｎｏｄｅ Ｂ）
４ａ−１、４ａ−２、４ｂ−１、４ｂ−２  セル
５  ユーザ端末（ＵＥ）
６  データベース
７  隣接セル情報リスト
８ａ、８ｂ  隣接セル情報取得機能部
９ａ、９ｂ  隣接セル情報更新機能部
【図１】
2009118280.tif 000003
【図２】
2009118280.tif 000004
【図３】
2009118280.tif 000005
【図４】
2009118280.tif 000006
【図５】
2009118280.tif 000007
【図６】
2009118280.tif 000008